(57)【要約】【課題】画像にゴーストが生ずることを防止し、画像品質を向上させる。【解決手段】イメージングシーケンスにおいて基準位置から変位した撮影スライス領域に対応するようにスライス・トラッキング法に基づいて周波数が調整された後のＲＦパルスの位相を、イメージングシーケンスでのスキャンの実施において送信した際に生ずる磁気共鳴信号の位相差がなくなるように調整する。その後、その位相が調整されたＲＦパルスにてイメージングシーケンスＩＳを実施してイメージングデータを収集し、そのイメージングデータに基づいてスライス画像を再構成する。【選択図】図１０
2008212402.tif 000002
【特許請求の範囲】
【請求項１】
被検体において体動する撮影対象を含む撮影スライス領域が収容される静磁場空間を含み、当該静磁場空間に収容した前記撮影スライス領域にＲＦパルスを照射し、当該撮影スライス領域から生ずる磁気共鳴信号をイメージングデータとして収集するイメージングシーケンスによって、前記被検体についてスキャンを実施するスキャン部と、
前記スキャン部が前記イメージングシーケンスにて前記スキャンを実施することにより収集した前記イメージングデータについて画像再構成処理を実施することによって、前記撮影スライス領域の画像を再構成する画像再構成部と、
前記撮影対象が体動する位置を求める位置算出部と、
前記位置算出部によって求められた前記撮影対象の位置に基づいて、前記スキャン部と前記画像再構成部との動作を制御する制御部と
を有する磁気共鳴イメージング装置であって、
前記制御部は、
前記スキャン部が前記イメージングシーケンスにて前記スキャンを実施する時に前記体動する撮影対象から前記イメージングデータを収集するように、前記位置算出部によって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記スキャン部が前記イメージングシーケンスにて前記スキャンを実施する際のイメージングシーケンス条件を設定するイメージングシーケンス条件設定部と、
前記イメージングシーケンス条件設定部によって、前記撮影対象の位置に対応するように周波数が調整された後のＲＦパルスを、前記イメージングシーケンスでの前記スキャンの実施において送信した際に、前記撮影スライス領域において生ずる磁気共鳴信号の位相が変化する位相差を算出する位相差算出部と
を含み、
前記イメージングシーケンス条件設定部によって前記スライス・トラッキング法に対応するように設定された前記イメージングシーケンス条件に基づいて前記イメージングシーケンスでの前記スキャンを実施するように前記スキャン部の動作を制御すると共に、前記スライス・トラッキング法に対応するように前記周波数が調整された後のＲＦパルスを前記イメージングシーケンスでのスキャンの実施において送信した際に前記撮影スライス領域において生ずる磁気共鳴信号の位相が変化する位相差が無くなるように、前記位相差算出部によって算出された位相差に基づいて、前記スキャン部と前記画像再構成部との少なくとも一方の動作を制御する
磁気共鳴イメージング装置。
【請求項２】
前記制御部は、
前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、前記スキャン部が当該プリパレーションシーケンスを実施する際のプリパレーションシーケンス条件を設定するプリパレーションシーケンス条件設定部
を、さらに含み、
前記プリパレーションシーケンス条件設定部によって設定された前記プリパレーションシーケンス条件に基づいて、前記スキャン部が前記プリパレーションシーケンスを実施することによって前記被検体についてスキャンを実施するように、前記スキャン部の動作を制御し、
前記位相差算出部は、前記スキャン部が前記プリパレーションシーケンスにて前記スキャンを実施することによって収集した前記第１のプリパレーションデータと前記第２のプリパレーションデータとに基づいて、前記位相差を算出する、
請求項１に記載の磁気共鳴イメージング装置。
【請求項３】
前記イメージングシーケンス条件設定部は、前記スライス・トラッキング法に対応するように前記周波数が調整された後のＲＦパルスを前記イメージングシーケンスでのスキャンの実施において送信した際に前記撮影スライス領域において生ずる磁気共鳴信号の位相が変化する位相差が無くなるように、前記イメージングシーケンス条件を、前記位相差算出部によって算出された位相差に基づいて設定する
請求項１または２に磁気共鳴イメージング装置。
【請求項４】
前記イメージングシーケンス条件設定部は、前記イメージングシーケンス条件を設定する際には、前記位相差算出部によって算出された位相差に基づいて、前記イメージングシーケンスの実施において送信するＲＦパルスの位相を調整する、
請求項３に記載の磁気共鳴イメージング装置。
【請求項５】
前記イメージングシーケンス条件設定部は、前記位相差算出部によって算出された位相差に基づいて、前記イメージングシーケンスの実施において前記スキャン部が前記イメージングデータの位相を調整して収集するように、前記イメージングシーケンス条件を設定する、
請求項３または４に記載の磁気共鳴イメージング装置。
【請求項６】
前記制御部は、前記スライス・トラッキング法に対応するように前記周波数が調整された後のＲＦパルスを前記イメージングシーケンスでのスキャンの実施において送信した際に収集する磁気共鳴信号の位相が変化する位相差が無くなるように、前記位相差算出部によって算出された位相差に基づいて前記画像再構成部がイメージングデータの位相を補正した後に、前記画像再構成処理を実施するように、前記画像再構成部の動作を制御する、
請求項１または２に記載の磁気共鳴イメージング装置。
【請求項７】
前記位置算出部は、前記被検体の呼吸運動によって体動された前記撮影対象の位置を算出する
請求項１から６のいずれかに記載の磁気共鳴イメージング装置。
【請求項８】
前記プリパレーションシーケンス条件設定部は、前記被検体において横隔膜を含む領域において生ずる磁気共鳴信号をナビゲータエコーデータとして収集するナビゲーションシーケンスを、前記プリパレーションシーケンスに含むように、前記プリパレーションシーケンス条件を設定し、
前記位置算出部は、前記プリパレーションシーケンス条件設定部により設定された前記プリパレーションシーケンス条件に対応する前記プリパレーションシーケンスによって、前記スキャン部が前記被検体についてスキャンを実施することにより収集した前記ナビゲータエコーデータに基づいて、前記撮影対象の位置を算出する、
請求項７に記載の磁気共鳴イメージング装置。
【請求項９】
前記プリパレーションシーケンス条件設定部は、前記イメージングシーケンス条件設定部によって設定されたイメージングシーケンスにおいて、位相エンコード勾配パルスを送信しないパルスシーケンスを、前記プリパレーションシーケンスにするように、前記プリパレーションシーケンス条件を設定する、
請求項１から８のいずれかに記載の磁気共鳴イメージング装置。
【請求項１０】
前記プリパレーションシーケンス条件設定部は、前記被検体において前記第１スライス領域のスライス軸方向にて位置が異なる複数の前記第２スライス領域のそれぞれから、前記磁気共鳴信号のそれぞれを前記第２のプリパレーションデータとして前記第２のプリパレーションシーケンスにて収集するように、前記プリパレーションシーケンス条件を設定する、
請求項９に記載の磁気共鳴イメージング装置。
【請求項１１】
前記位相差算出部は、前記第１のプリパレーションデータと前記第２のプリパレーションデータとのそれぞれについて、１次元フーリエ変換処理を実施することによって、前記第１スライス領域と前記第２スライス領域とのそれぞれの投影像を算出し、当該算出した投影像のそれぞれの位相に基づいて、前記位相差を算出する
請求項９または１０に記載の磁気共鳴イメージング装置。
【請求項１２】
被検体において体動する撮影対象を含む撮影スライス領域が収容される静磁場空間において、前記撮影スライス領域にＲＦパルスを照射し、前記撮影スライス領域から生ずる磁気共鳴信号をイメージングデータとして収集するイメージングシーケンスによって、前記被検体についてスキャンを実施した後に、前記イメージングシーケンスにて前記スキャンを実施することにより収集したイメージングデータについて画像再構成処理を実施することによって、前記撮影スライス領域の画像を再構成する磁気共鳴イメージング方法であって、
前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、当該プリパレーションシーケンスを実施する際のプリパレーションシーケンス条件を設定するプリパレーションシーケンス条件設定ステップと、
前記撮影対象が体動する位置を求める位置算出ステップと、
前記イメージングシーケンスにて前記スキャンを実施する時に前記体動する撮影対象から前記イメージングデータを収集するように、前記位置算出ステップによって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記イメージングシーケンスにて前記スキャンを実施する際のイメージングシーケンス条件を設定するイメージングシーケンス条件設定ステップと
を有し、
前記イメージングシーケンス条件設定ステップは、
前記スライス・トラッキング法に対応するように周波数が調整された後のＲＦパルスを前記イメージングシーケンスでの前記スキャンの実施において送信した際に、前記撮影スライス領域において生ずる磁気共鳴信号の位相が変化する位相差を、前記プリパレーションシーケンスにて前記スキャンを実施することによって収集した前記第１のプリパレーションデータと前記第２のプリパレーションデータとに基づいて算出する位相差算出ステップ
を含み、
前記周波数が調整された後のＲＦパルスを前記イメージングシーケンスでのスキャンの実施において送信した際に前記撮影スライス領域において生ずる磁気共鳴信号の位相が変化する位相差が無くなるように、前記イメージングシーケンス条件を、前記位相差算出ステップにて算出した位相差に基づいて設定する
磁気共鳴イメージング方法。
【請求項１３】
前記イメージングシーケンス条件設定ステップにおいては、前記イメージングシーケンス条件を設定する際には、前記位相差算出ステップによって算出された位相差に基づいて、前記イメージングシーケンスの実施において送信するＲＦパルスの位相を調整する、
請求項１２に記載の磁気共鳴イメージング方法。
【請求項１４】
前記イメージングシーケンス条件設定ステップにおいては、前記位相差算出ステップによって算出された位相差に基づいて、前記イメージングシーケンスの実施において前記イメージングデータの位相を調整して収集するように、前記イメージングシーケンス条件を設定する、
請求項１２または１３に記載の磁気共鳴イメージング方法。
【請求項１５】
前記位置算出ステップにおいては、前記被検体の呼吸運動によって体動された前記撮影対象の位置を算出する、
請求項１２から１４のいずれかに記載の磁気共鳴イメージング方法。
【請求項１６】
前記プリパレーションシーケンス条件設定ステップは、前記被検体において横隔膜を含む領域において生ずる磁気共鳴信号を、ナビゲータエコーデータとして収集するナビゲーションシーケンスを、前記プリパレーションシーケンスに含むように、前記プリパレーションシーケンス条件を設定し、
前記位置算出ステップは、前記プリパレーションシーケンス条件設定ステップにより設定された前記プリパレーションシーケンス条件に対応する前記プリパレーションシーケンスによって、前記被検体についてスキャンを実施することにより収集した前記ナビゲータエコーデータに基づいて、前記撮影対象の位置を算出する、
請求項１５に記載の磁気共鳴イメージング方法。
【請求項１７】
前記プリパレーションシーケンス条件設定ステップにおいては、前記イメージングシーケンス条件設定ステップによって設定されたイメージングシーケンスにおいて、位相エンコード勾配パルスを送信しないパルスシーケンスを、前記プリパレーションシーケンスにするように、前記プリパレーションシーケンス条件を設定する、
請求項１２から１６のいずれかに記載の磁気共鳴イメージング方法。
【請求項１８】
前記プリパレーションシーケンス条件設定ステップにおいては、前記被検体において前記第１スライス領域のスライス軸方向にて位置が異なる複数の前記第２スライス領域のそれぞれから前記磁気共鳴信号のそれぞれを前記第２のプリパレーションデータとして前記第２のプリパレーションシーケンスにて収集するように、前記プリパレーションシーケンス条件を設定する、
請求項１７に記載の磁気共鳴イメージング方法。
【請求項１９】
前記位相差算出ステップにおいては、前記第１のプリパレーションデータと前記第２のプリパレーションデータとのそれぞれについて、１次元フーリエ変換処理を実施することによって、前記第１スライス領域と前記第２スライス領域とのそれぞれの投影像を算出し、当該算出した投影像のそれぞれの位相に基づいて、前記位相差を算出する、
請求項１７または１８に記載の磁気共鳴イメージング方法。
【請求項２０】
被検体において体動する撮影対象を含む撮影スライス領域が収容される静磁場空間において、前記撮影スライス領域にＲＦパルスを照射し、前記撮影スライス領域から生ずる磁気共鳴信号をイメージングデータとして収集するイメージングシーケンスによって、前記被検体についてスキャンを実施した後に、前記イメージングシーケンスにて前記スキャンを実施することにより収集したイメージングデータについて画像再構成処理を実施することによって、前記撮影スライス領域の画像を再構成する磁気共鳴イメージング方法であって、
前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、当該プリパレーションシーケンスを実施する際のプリパレーションシーケンス条件を設定するプリパレーションシーケンス条件設定ステップと、
前記撮影対象が体動する位置を求める位置算出ステップと、
前記イメージングシーケンスにて前記スキャンを実施する時に前記体動する撮影対象から前記イメージングデータを収集するように、前記位置算出ステップによって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記イメージングシーケンスにて前記スキャンを実施する際のイメージングシーケンス条件を設定するイメージングシーケンス条件設定ステップと、
前記イメージングシーケンス条件設定ステップにて設定されたイメージングシーケンス条件に対応する前記イメージングシーケンスにて前記被検体について実施されたスキャンによって収集したイメージングデータについて画像再構成処理することによって、前記撮影スライス領域の画像を再構成する画像再構成ステップと
を有し、
前記画像再構成ステップにおいては、前記スライス・トラッキング法に対応するように周波数が調整された後のＲＦパルスを前記イメージングシーケンスでのスキャンの実施において送信した際に収集される磁気共鳴信号の位相が変化する位相差が無くなるように、前記位相差算出ステップによって算出された位相差に基づいて前記イメージングデータの位相を補正した後に、前記画像再構成処理を実施する
磁気共鳴イメージング方法。
【発明の詳細な説明】
【技術分野】
【０００１】
本発明は、磁気共鳴イメージング（ＭＲＩ：Ｍａｇｎｅｔｉｃ  Ｒｅｓｏｎａｎｃｅ  Ｉｍａｇｉｎｇ）装置および磁気共鳴イメージング方法に関する。特に、被検体において体動する撮影対象を含む撮影スライス領域が収容される静磁場空間において撮影スライス領域にＲＦパルスを照射し、その撮影スライス領域から生ずる磁気共鳴信号をイメージングデータとして収集するイメージングシーケンスによって被検体についてスキャンを実施した後に、そのイメージングシーケンスにてスキャンを実施することにより収集したイメージングデータについて、画像再構成処理することによって、撮影スライス領域の画像を再構成する、磁気共鳴イメージング装置および磁気共鳴イメージング方法である。
【背景技術】
【０００２】
磁気共鳴イメージング装置は、医療用途、産業用途などのさまざまな分野において利用されている。
【０００３】
磁気共鳴イメージング装置は、静磁場が形成される撮像空間を含み、被検体において撮影対象を含む撮影スライス領域が、その撮像空間に収容される。これにより、撮影スライス領域におけるプロトン（ｐｒｏｔｏｎ）のスピンが静磁場の方向に整列し、磁化ベクトルが得られる。その後、その静磁場が形成されている撮像空間において、被検体の撮影スライス領域にＲＦパルスを送信し、核磁気共鳴（ＮＭＲ：Ｎｕｃｌｅａｒ  Ｍａｇｎｅｔｉｃ  Ｒｅｓｏｎａｎｃｅ）現象を発生させることによって、そのスピンの磁化ベクトルをフリップさせる。そして、そのフリップされたスピンの磁化ベクトルが元の静磁場の方向に戻る際に発生する磁気共鳴（ＭＲ）信号を収集する。このようにして、撮影スライス領域についてイメージングするイメージングシーケンスにて、被検体についてスキャンを実施し、イメージングデータとして磁気共鳴信号を収集する。たとえば、スピン・エコー（Ｓｐｉｎ  Ｅｃｈｏ）法やグラディエント・リコールド・エコー（Ｇｒａｄｉｅｎｔ  Ｒｅｃａｌｌｅｄ  Ｅｃｈｏ）法などのイメージングシーケンスにて、被検体についてスキャンを実施する。そして、このスキャンの実施によってイメージングデータとして収集された磁気共鳴信号について、画像再構成処理を実施し、その撮影スライス領域のスライス画像を生成する。
【０００４】
このように磁気共鳴イメージング装置を用いて被検体についてスキャンを実施してスライス画像を生成する際に、撮影対象が体動し、その位置が基準位置から変動した場合には、その生成したスライス画像に体動アーチファクトが発生する場合がある。たとえば、被検体の心臓部や腹部などの部位をイメージングする場合においては、呼吸運動や心拍運動などによって、内部の組織が移動されるために、体動アーチファクトが顕著に発生する場合があり、画像品質が低下する場合がある。
【０００５】
この体動アーチファクトの発生による画像品質の低下を防止するために、呼吸運動や心拍運動などによる体動をモニターし、その体動に同期するように、スキャンを実施する方法が提案されている（たとえば、特許文献１参照）。
【０００６】
また、さらに、スキャンの実施時に体動をモニターし、撮影対象が基準位置から体動した位置を算出した後に、その体動した撮影対象を含む撮影スライス領域から磁気共鳴信号を収集するように、イメージングシーケンス条件を調整するスライス・トラッキング（Ｓｌｉｃｅ  ｔｒａｃｋｉｎｇ）法が提案されている。ここでは、撮影対象が基準位置から体動した位置の算出結果に基づいて、たとえば、ＲＦパルスの周波数を基準周波数から調整して送信する。また、たとえば、受信周波数や、受信位相を調整する。このように、スライス・トラッキング法においては、ＲＦパルスの周波数を始めとする、各種パラメータを調整し、イメージングシーケンス条件を設定する（たとえば、特許文献２参照）。
【０００７】
【特許文献１】特開平１０−２７７０１０号公報
【特許文献２】特開２００６−２６０７６号公報
【発明の開示】
【発明が解決しようとする課題】
【０００８】
前者の方法においては、たとえば、被検体の呼吸運動をモニターするために、ナビゲータ・エコー法に従って、横隔膜を含む領域を選択的に励起し、ナビゲータエコーデータとしての磁気共鳴信号を得るナビゲータシーケンスを、心拍と同期させて実施する。そして、スライス画像を生成する撮影スライス領域から、磁気共鳴信号をイメージングデータとして得るように、イメージングシーケンスを実施する。ここでは、ナビゲータシーケンスによって得られたナビゲータエコーデータに基づいて横隔膜の位置を算出した後に、その算出した横隔膜の位置が予め設定した許容範囲（ａｃｃｅｐｔａｎｃｅ  ｗｉｎｄｏｗ）内である場合に、その後のイメージングシーケンスにより得られたイメージングデータをスライス画像のローデータとして選択する。具体的には、被検体の心拍数が一般に毎分６０回程度であるため、１秒間隔の周期でナビゲータエコーデータとイメージングデータとのそれぞれを取得し、ナビゲータエコーデータによる横隔膜の変位が予め設定した許容範囲内においてイメージングデータが取得された場合に、スライス画像のローデータとして、そのイメージングデータを選択する。そして、ｋ空間を埋めるように、そのローデータとして選択したイメージングデータを、順次、収集する。そして、このｋ空間を埋めるように収集したイメージングデータに基づいて、スライス画像を再構成する。
【０００９】
この方法の場合、横隔膜の変動が大きく、その位置が許容範囲以外にある場合には、取得したイメージングデータをローデータとして選択せず、横隔膜の変動が小さい場合に取得したイメージングデータをローデータとして選択しスライス画像を再構成するので、その画像再構成したスライス画像に体動アーチファクトが生ずることを防止することができる。しかし、この方法においては、この取得したイメージングデータにおいてローデータとして選択されないものが存在することになるので、スキャン時間が長くなる場合があり、効率的に撮影を実施することができない場合がある。
【００１０】
一方で、後者の方法においては、たとえば、被検体の呼吸運動をモニターするために、上記と同様に、ナビゲータシーケンスを実施後、このナビゲータシーケンスに続いて、イメージングシーケンスを実施する。ここでは、ナビゲータシーケンスの実施によって上記のようにして算出された横隔膜の位置に基づいて、イメージングシーケンスの実施時に移動する撮影対象を含む撮影スライス領域の位置を求めた後、そのイメージングシーケンスにおいて送信するＲＦパルスの周波数などを調整し、その周波数が調整された後のＲＦパルスを送信することによって、その移動された撮影スライス領域に対応するように被検体についてスキャンを実施する。
【００１１】
このため、この方法の場合、このローデータとして選択されないイメージングデータが存在しないことになるので、前者の方法に比べて、スキャン時間が短くなるために、効率的に撮影を実施することができる。
【００１２】
しかしながら、後者のスライス・トラッキング法においては、体動によって基準位置から変位した撮影スライス領域に対応するように周波数が調整された後のＲＦパルスをイメージングシーケンスでのスキャンの実施において送信した際には、その基準位置から移動された撮影スライス領域において生ずる磁気共鳴信号の位相が、基準位置にて生ずる磁気共鳴信号の位相と異なる場合があり、両者の間において位相差が生ずる場合がある。このため、周波数が調整された後のＲＦパルスを送信するイメージングシーケンスにて被検体についてスキャンを実施し収集したイメージングデータについて画像再構成処理を実施した場合には、その再構成された画像にゴーストが生じ、画像品質が低下する場合がある。この不具合は、体動によって撮影スライス領域が基準位置から大きく変位するに従い、上記の位相差が大きくなるために、顕在化する。
【００１３】
また、ＲＦパルスを送信する際の遅延時間や位相の誤差、および、その他、ハードウェアの状況によって、このような不具合が、さらに、顕在化する場合がある。
【００１４】
このように、スライス・トラッキング法によってイメージングを実施する際においては、ゴーストが発生するために、画像品質を向上させることが困難な場合がある。
【００１５】
したがって、本発明の目的は、ゴーストの発生を抑制し、画像品質を向上させることが可能な、磁気共鳴イメージング装置および磁気共鳴イメージング方法を提供することにある。
【課題を解決するための手段】
【００１６】
上記目的の達成のために本発明の磁気共鳴イメージング装置は、被検体において体動する撮影対象を含む撮影スライス領域が収容される静磁場空間を含み、当該静磁場空間に収容した前記撮影スライス領域にＲＦパルスを照射し、当該撮影スライス領域から生ずる磁気共鳴信号をイメージングデータとして収集するイメージングシーケンスによって、前記被検体についてスキャンを実施するスキャン部と、前記スキャン部が前記イメージングシーケンスにて前記スキャンを実施することにより収集した前記イメージングデータについて画像再構成処理を実施することによって、前記撮影スライス領域の画像を再構成する画像再構成部と、前記撮影対象が体動する位置を求める位置算出部と、前記位置算出部によって求められた前記撮影対象の位置に基づいて、前記スキャン部と前記画像再構成部との動作を制御する制御部とを有する磁気共鳴イメージング装置であって、前記制御部は、前記スキャン部が前記イメージングシーケンスにて前記スキャンを実施する時に前記体動する撮影対象から前記イメージングデータを収集するように、前記位置算出部によって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記スキャン部が前記イメージングシーケンスにて前記スキャンを実施する際のイメージングシーケンス条件を設定するイメージングシーケンス条件設定部と、前記イメージングシーケンス条件設定部によって、前記撮影対象の位置に対応するように周波数が調整された後のＲＦパルスを、前記イメージングシーケンスでの前記スキャンの実施において送信した際に、前記撮影スライス領域において生ずる磁気共鳴信号の位相が変化する位相差を算出する位相差算出部とを含み、前記イメージングシーケンス条件設定部によって前記スライス・トラッキング法に対応するように設定された前記イメージングシーケンス条件に基づいて前記イメージングシーケンスでの前記スキャンを実施するように前記スキャン部の動作を制御すると共に、前記スライス・トラッキング法に対応するように前記周波数が調整された後のＲＦパルスを前記イメージングシーケンスでのスキャンの実施において送信した際に前記撮影スライス領域において生ずる磁気共鳴信号の位相が変化する位相差が無くなるように、前記位相差算出部によって算出された位相差に基づいて、前記スキャン部と前記画像再構成部との少なくとも一方の動作を制御する。
【００１７】
好適には、前記制御部は、前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、前記スキャン部が当該プリパレーションシーケンスを実施する際のプリパレーションシーケンス条件を設定するプリパレーションシーケンス条件設定部を、さらに含み、前記プリパレーションシーケンス条件設定部によって設定された前記プリパレーションシーケンス条件に基づいて、前記スキャン部が前記プリパレーションシーケンスを実施することによって前記被検体についてスキャンを実施するように、前記スキャン部の動作を制御し、前記位相差算出部は、前記スキャン部が前記プリパレーションシーケンスにて前記スキャンを実施することによって収集した前記第１のプリパレーションデータと前記第２のプリパレーションデータとに基づいて、前記位相差を算出する。
【００１８】
好適には、前記イメージングシーケンス条件設定部は、前記スライス・トラッキング法に対応するように前記周波数が調整された後のＲＦパルスを前記イメージングシーケンスでのスキャンの実施において送信した際に前記撮影スライス領域において生ずる磁気共鳴信号の位相が変化する位相差が無くなるように、前記イメージングシーケンス条件を、前記位相差算出部によって算出された位相差に基づいて設定する。
【００１９】
好適には、前記イメージングシーケンス条件設定部は、前記イメージングシーケンス条件を設定する際には、前記位相差算出部によって算出された位相差に基づいて、前記イメージングシーケンスの実施において送信するＲＦパルスの位相を調整する。
【００２０】
好適には、前記イメージングシーケンス条件設定部は、前記位相差算出部によって算出された位相差に基づいて、前記イメージングシーケンスの実施において前記スキャン部が前記イメージングデータの位相を調整して収集するように、前記イメージングシーケンス条件を設定する。
【００２１】
好適には、前記制御部は、前記スライス・トラッキング法に対応するように前記周波数が調整された後のＲＦパルスを前記イメージングシーケンスでのスキャンの実施において送信した際に収集する磁気共鳴信号の位相が変化する位相差が無くなるように、前記位相差算出部によって算出された位相差に基づいて前記画像再構成部がイメージングデータの位相を補正した後に、前記画像再構成処理を実施するように、前記画像再構成部の動作を制御する。
【００２２】
好適には、前記位置算出部は、前記被検体の呼吸運動によって体動された前記撮影対象の位置を算出する。
【００２３】
好適には、前記プリパレーションシーケンス条件設定部は、前記被検体において横隔膜を含む領域において生ずる磁気共鳴信号をナビゲータエコーデータとして収集するナビゲーションシーケンスを、前記プリパレーションシーケンスに含むように、前記プリパレーションシーケンス条件を設定し、前記位置算出部は、前記プリパレーションシーケンス条件設定部により設定された前記プリパレーションシーケンス条件に対応する前記プリパレーションシーケンスによって、前記スキャン部が前記被検体についてスキャンを実施することにより収集した前記ナビゲータエコーデータに基づいて、前記撮影対象の位置を算出する。
【００２４】
好適には、前記プリパレーションシーケンス条件設定部は、前記イメージングシーケンス条件設定部によって設定されたイメージングシーケンスにおいて、位相エンコード勾配パルスを送信しないパルスシーケンスを、前記プリパレーションシーケンスにするように、前記プリパレーションシーケンス条件を設定する。
【００２５】
好適には、前記プリパレーションシーケンス条件設定部は、前記被検体において前記第１スライス領域のスライス軸方向にて位置が異なる複数の前記第２スライス領域のそれぞれから、前記磁気共鳴信号のそれぞれを前記第２のプリパレーションデータとして前記第２のプリパレーションシーケンスにて収集するように、前記プリパレーションシーケンス条件を設定する。
【００２６】
好適には、前記位相差算出部は、前記第１のプリパレーションデータと前記第２のプリパレーションデータとのそれぞれについて、１次元フーリエ変換処理を実施することによって、前記第１スライス領域と前記第２スライス領域とのそれぞれの投影像を算出し、当該算出した投影像のそれぞれの位相に基づいて、前記位相差を算出する。
【００２７】
上記目的の達成のために本発明の磁気共鳴イメージング方法は、被検体において体動する撮影対象を含む撮影スライス領域が収容される静磁場空間において、前記撮影スライス領域にＲＦパルスを照射し、前記撮影スライス領域から生ずる磁気共鳴信号をイメージングデータとして収集するイメージングシーケンスによって、前記被検体についてスキャンを実施した後に、前記イメージングシーケンスにて前記スキャンを実施することにより収集したイメージングデータについて画像再構成処理を実施することによって、前記撮影スライス領域の画像を再構成する磁気共鳴イメージング方法であって、前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、当該プリパレーションシーケンスを実施する際のプリパレーションシーケンス条件を設定するプリパレーションシーケンス条件設定ステップと、前記撮影対象が体動する位置を求める位置算出ステップと、前記イメージングシーケンスにて前記スキャンを実施する時に前記体動する撮影対象から前記イメージングデータを収集するように、前記位置算出ステップによって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記イメージングシーケンスにて前記スキャンを実施する際のイメージングシーケンス条件を設定するイメージングシーケンス条件設定ステップとを有し、前記イメージングシーケンス条件設定ステップは、前記スライス・トラッキング法に対応するように周波数が調整された後のＲＦパルスを前記イメージングシーケンスでの前記スキャンの実施において送信した際に、前記撮影スライス領域において生ずる磁気共鳴信号の位相が変化する位相差を、前記プリパレーションシーケンスにて前記スキャンを実施することによって収集した前記第１のプリパレーションデータと前記第２のプリパレーションデータとに基づいて算出する位相差算出ステップを含み、前記周波数が調整された後のＲＦパルスを前記イメージングシーケンスでのスキャンの実施において送信した際に前記撮影スライス領域において生ずる磁気共鳴信号の位相が変化する位相差が無くなるように、前記イメージングシーケンス条件を、前記位相差算出ステップにて算出した位相差に基づいて設定する。
【００２８】
好適には、前記イメージングシーケンス条件設定ステップにおいては、前記イメージングシーケンス条件を設定する際には、前記位相差算出ステップによって算出された位相差に基づいて、前記イメージングシーケンスの実施において送信するＲＦパルスの位相を調整する。
【００２９】
好適には、前記イメージングシーケンス条件設定ステップにおいては、前記位相差算出ステップによって算出された位相差に基づいて、前記イメージングシーケンスの実施において前記イメージングデータの位相を調整して収集するように、前記イメージングシーケンス条件を設定する。
【００３０】
好適には、前記位置算出ステップにおいては、前記被検体の呼吸運動によって体動された前記撮影対象の位置を算出する。
【００３１】
好適には、前記プリパレーションシーケンス条件設定ステップは、前記被検体において横隔膜を含む領域において生ずる磁気共鳴信号を、ナビゲータエコーデータとして収集するナビゲーションシーケンスを、前記プリパレーションシーケンスに含むように、前記プリパレーションシーケンス条件を設定し、前記位置算出ステップは、前記プリパレーションシーケンス条件設定ステップにより設定された前記プリパレーションシーケンス条件に対応する前記プリパレーションシーケンスによって、前記被検体についてスキャンを実施することにより収集した前記ナビゲータエコーデータに基づいて、前記撮影対象の位置を算出する。
【００３２】
好適には、前記プリパレーションシーケンス条件設定ステップにおいては、前記イメージングシーケンス条件設定ステップによって設定されたイメージングシーケンスにおいて、位相エンコード勾配パルスを送信しないパルスシーケンスを、前記プリパレーションシーケンスにするように、前記プリパレーションシーケンス条件を設定する。
【００３３】
好適には、前記プリパレーションシーケンス条件設定ステップにおいては、前記被検体において前記第１スライス領域のスライス軸方向にて位置が異なる複数の前記第２スライス領域のそれぞれから前記磁気共鳴信号のそれぞれを前記第２のプリパレーションデータとして前記第２のプリパレーションシーケンスにて収集するように、前記プリパレーションシーケンス条件を設定する。
【００３４】
好適には、前記位相差算出ステップにおいては、前記第１のプリパレーションデータと前記第２のプリパレーションデータとのそれぞれについて、１次元フーリエ変換処理を実施することによって、前記第１スライス領域と前記第２スライス領域とのそれぞれの投影像を算出し、当該算出した投影像のそれぞれの位相に基づいて、前記位相差を算出する。
【００３５】
上記目的の達成のために本発明の磁気共鳴イメージング方法は、被検体において体動する撮影対象を含む撮影スライス領域が収容される静磁場空間において、前記撮影スライス領域にＲＦパルスを照射し、前記撮影スライス領域から生ずる磁気共鳴信号をイメージングデータとして収集するイメージングシーケンスによって、前記被検体についてスキャンを実施した後に、前記イメージングシーケンスにて前記スキャンを実施することにより収集したイメージングデータについて画像再構成処理を実施することによって、前記撮影スライス領域の画像を再構成する磁気共鳴イメージング方法であって、前記静磁場空間において前記被検体の第１スライス領域に第１の周波数でＲＦパルスを送信し、当該第１スライス領域から生ずる磁気共鳴信号を第１のプリパレーションデータとして収集する第１のプリパレーションシーケンスと、前記被検体において前記第１スライス領域のスライス軸方向にて前記第１スライス領域と異なる位置にある第２スライス領域から前記磁気共鳴信号を収集するように、前記第１の周波数と異なる第２の周波数のＲＦパルスを送信し、当該第２スライス領域から生ずる磁気共鳴信号を第２のプリパレーションデータとして収集する第２のプリパレーションシーケンスとを含むプリパレーションシーケンスでのスキャンの実施を、前記イメージングシーケンスでの前記スキャンの実施の前に行うように、当該プリパレーションシーケンスを実施する際のプリパレーションシーケンス条件を設定するプリパレーションシーケンス条件設定ステップと、前記撮影対象が体動する位置を求める位置算出ステップと、前記イメージングシーケンスにて前記スキャンを実施する時に前記体動する撮影対象から前記イメージングデータを収集するように、前記位置算出ステップによって算出された前記撮影対象の位置に基づいて、前記イメージングシーケンスにおいて照射するＲＦパルスの周波数を少なくとも調整し前記撮影スライス領域の位置を変更するスライス・トラッキング法に対応するように、前記イメージングシーケンスにて前記スキャンを実施する際のイメージングシーケンス条件を設定するイメージングシーケンス条件設定ステップと、前記イメージングシーケンス条件設定ステップにて設定されたイメージングシーケンス条件に対応する前記イメージングシーケンスにて前記被検体について実施されたスキャンによって収集したイメージングデータについて画像再構成処理することによって、前記撮影スライス領域の画像を再構成する画像再構成ステップとを有し、前記画像再構成ステップにおいては、前記スライス・トラッキング法に対応するように周波数が調整された後のＲＦパルスを前記イメージングシーケンスでのスキャンの実施において送信した際に収集される磁気共鳴信号の位相が変化する位相差が無くなるように、前記位相差算出ステップによって算出された位相差に基づいて前記イメージングデータの位相を補正した後に、前記画像再構成処理を実施する。
【発明の効果】
【００３６】
本発明によれば、ゴーストの発生を抑制し、画像品質を向上させることが可能な、磁気共鳴イメージング装置および磁気共鳴イメージング方法を提供することができる。
【発明を実施するための最良の形態】
【００３７】
以下より、本発明にかかる実施形態の一例について図面を参照して説明する。
【００３８】
＜実施形態１＞
図１は、本発明にかかる実施形態１において、磁気共鳴イメージング装置１の構成の概略を示す構成図である。
【００３９】
（装置構成）
図１は、本発明にかかる実施形態において、磁気共鳴イメージング装置１の構成を示す構成図である。
【００４０】
図１に示すように、磁気共鳴イメージング装置１は、スキャン部２と、操作コンソール部３とを有している。ここで、スキャン部２は、図１に示すように、静磁場マグネット部１２と、勾配コイル部１３と、ＲＦコイル部１４と、ＲＦ駆動部２２と、勾配駆動部２３と、データ収集部２４と、クレードル１５とを有している。そして、操作コンソール部３は、図１に示すように、制御部３０と、位置算出部３１ａと、画像再構成部３１ｂと、操作部３２と、表示部３３と、記憶部３４とを有する。
【００４１】
スキャン部２について説明する。
【００４２】
スキャン部２は、図１に示すように、静磁場が形成され、被検体ＳＵにおいて体動する撮影対象を含む撮影スライス領域が収容される撮像空間Ｂを含んでいる。そして、スキャン部２は、操作コンソール部３からの制御信号に基づいて、その静磁場が形成される撮像空間Ｂに収容した被検体ＳＵの撮影スライス領域にＲＦパルスを照射し、その撮影スライス領域から生ずる磁気共鳴信号をイメージングデータとして収集するイメージングシーケンスによって、被検体ＳＵについてスキャンを実施する。
【００４３】
スキャン部２の各構成要素について、順次、説明する。
【００４４】
静磁場マグネット部１２は、たとえば、水平磁場型であって、被検体ＳＵが収容される撮像空間Ｂにおいて載置される被検体ＳＵの体軸方向（ｚ方向）に沿うように、超伝導磁石（図示なし）が静磁場を形成する。なお、静磁場マグネット部１２は、水平磁場型の他に、垂直磁場型であって、一対の永久磁石が対面する方向に沿って静磁場を形成する場合であってもよい。
【００４５】
勾配コイル部１３は、静磁場が形成された撮像空間Ｂに勾配磁場を形成し、ＲＦコイル部１４が受信する磁気共鳴信号に空間的な位置情報を付加する。ここでは、勾配コイル部１３は、静磁場方向に沿ったｚ方向と、ｘ方向と、ｙ方向との互いに直交する３軸方向に対応して勾配磁場を形成するように、３系統からなる。これらは、制御部３０からの制御信号に基づいて、周波数エンコード方向と位相エンコード方向とスライス選択方向として、それぞれに勾配パルスを送信することによって勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル部１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００４６】
ＲＦコイル部１４は、図１に示すように、被検体ＳＵを囲むように配置される。ＲＦコイル部１４は、静磁場マグネット部１２によって静磁場が形成される撮像空間Ｂ内において、制御部３０からの制御信号に基づいて、電磁波であるＲＦパルスを被検体ＳＵに送信して高周波磁場を形成する。これにより、被検体ＳＵの撮影スライス領域におけるプロトンのスピンを励起する。そして、ＲＦコイル部１４は、その励起された被検体ＳＵの撮影スライス領域におけるプロトンのスピンが元の磁化ベクトルへ戻る際に生ずる電磁波を、磁気共鳴信号として受信する。
【００４７】
クレードル１５は、被検体ＳＵが載置される水平面を含むテーブルであって、制御部３０からの制御信号に基づいて、撮像空間Ｂの内部と外部との間において移動する。
【００４８】
ＲＦ駆動部２２は、ＲＦコイル部１４を駆動させることによって、撮像空間Ｂ内にＲＦパルスを送信させて高周波磁場を形成する。ＲＦ駆動部２２は、制御部３０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００４９】
勾配駆動部２３は、制御部３０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００５０】
データ収集部２４は、制御部３０からの制御信号に基づいて、ＲＦコイル部１４が受信する磁気共鳴信号を収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換して出力する。
【００５１】
操作コンソール部３について説明する。
【００５２】
操作コンソール部３は、スキャン部２が被検体についてスキャンを実施するように制御し、そのスキャン部２が実施したスキャンによって得られた磁気共鳴信号に基づいて、被検体の画像を生成すると共に、その生成した画像を表示する。
【００５３】
操作コンソール部３を構成する各部について、順次、説明する。
【００５４】
制御部３０は、コンピュータと、コンピュータに所定のデータ処理を実行させるプログラムを記憶するメモリとを有しており、各部を制御する。ここでは、制御部３０は、操作部３２からの操作データが入力され、その操作部３２から入力される操作データに基づいて、スキャン部２を制御する。すなわち、図１に示すように、ＲＦ駆動部２２と勾配駆動部２３とデータ収集部２４とのそれぞれに制御信号を出力し、設定したスキャン条件に対応するように、各部の動作を制御する。そして、これと共に、データ処理部３１と表示部３３と記憶部３４とへ、制御信号を出力し、制御を行う。
【００５５】
図２は、本発明にかかる実施形態１において、制御部３０の構成を示すブロック図である。
【００５６】
図２に示すように、制御部３０は、イメージングシーケンス条件設定部３０１と、プリパレーションシーケンス条件設定部３０１ｂと、位相差算出部３０２とを有しており、位置算出部３１ａによって求められた、体動する撮影対象の位置に基づいて、スキャン部２と画像再構成部３１ｂとの動作を制御する。詳細については後述するが、イメージングシーケンス条件設定部３０１によってスライス・トラッキング法に対応するように設定されたイメージングシーケンス条件に基づいてイメージングシーケンスでのスキャンを実施するように、スキャン部２の動作を制御する。また、これと共に、そのスライス・トラッキング法に対応するように周波数が調整された後のＲＦパルスをイメージングシーケンスでのスキャンの実施において送信した際に、撮影スライス領域においてスピンの位相が変化する位相差を、位相差算出部３０２が算出し、その位相差算出部３０２によって算出された位相差に基づいて、スキャン部２と画像再構成部３１ｂとの少なくとも一方の動作を制御する。つまり、撮影スライス領域の移動によって磁気共鳴信号の位相が変化する位相差により、スライス画像にゴーストが生じないように、位相差算出部３０２によって算出された位相差に基づいて、スキャン部２と画像再構成部３１ｂとの少なくとも一方の動作を制御する。また、本実施形態においては、プリパレーションシーケンス条件設定部３０１ｂによって設定されたプリパレーションシーケンス条件に基づいて、スキャン部２がプリパレーションシーケンスを実施することによって被検体についてスキャンを実施するように、スキャン部の動作を制御する。
【００５７】
制御部３０の各部について順次説明する。
【００５８】
イメージングシーケンス条件設定部３０１は、スキャン部２がイメージングシーケンスにてスキャンを実施する際のイメージングシーケンス条件を、操作部３２から入力される操作データに基づいて設定する。
【００５９】
本実施形態においては、イメージングシーケンス条件設定部３０１は、スライス・トラッキング法に対応するように、イメージングシーケンス条件を設定する。具体的には、イメージングシーケンス条件設定部３０１は、スキャン部２がイメージングシーケンスにてスキャンを実施する時に、体動する撮影対象からイメージングデータを収集するように、位置算出部３１ａによって算出された撮影対象の位置に基づいて、イメージングシーケンスにおいて送信するＲＦパルスの周波数を少なくとも調整し、撮影スライス領域の位置を変更する。
【００６０】
この他に、本実施形態においては、イメージングシーケンス条件設定部３０１は、このスライス・トラッキング法に対応するように周波数が調整された後のＲＦパルスを、イメージングシーケンスでのスキャンの実施において送信した際に、その撮影スライス領域において磁気共鳴信号の位相が変化する位相差が無くなるように、イメージングシーケンス条件を設定する。具体的には、イメージングシーケンス条件設定部３０１は、このイメージングシーケンス条件を設定する際には、位相差算出部３０２によって算出された位相差に基づいて、イメージングシーケンスの実施において送信するＲＦパルスの位相を調整する。
【００６１】
プリパレーションシーケンス条件設定部３０１ｂは、イメージングシーケンスでのスキャンを実施する前に、スキャン部２がプリパレーションシーケンスのスキャンを実施する際のプリパレーションシーケンス条件を、操作部３２から入力される操作データに基づいて設定する。
【００６２】
本実施形態においては、プリパレーションシーケンス条件設定部３０１ｂは、静磁場が形成された撮像空間Ｂにおいて、被検体の第１スライス領域に第１の周波数でＲＦパルスを送信し、当該第１スライス領域から生ずる磁気共鳴信号を第１のプリパレーションデータとして収集する第１のプリパレーションシーケンスを、プリパレーションシーケンスとして実施するように、プリパレーションシーケンス条件を設定する。具体的には、プリパレーションシーケンス条件設定部３０１ｂは、イメージングシーケンス条件設定部３０１によって設定されたイメージングシーケンスにおいて、位相エンコード勾配パルスを送信しないパルスシーケンスを、第１のプリパレーションシーケンスにするように、プリパレーションシーケンス条件を設定する。
【００６３】
また、さらに、その被検体において第１スライス領域のスライス軸方向にて第１スライス領域と異なる位置に並ぶ第２スライス領域から磁気共鳴信号を収集するように、第１の周波数と異なる第２の周波数のＲＦパルスを送信し、当該第２スライス領域から生ずる磁気共鳴信号を第２のプリパレーションデータとして収集する第２のプリパレーションシーケンスを、プリパレーションシーケンスとして実施するように、プリパレーションシーケンス条件を設定する。具体的には、プリパレーションシーケンス条件設定部３０１ｂは、被検体において第１スライス領域のスライス軸方向にて位置が異なる複数の第２スライス領域のそれぞれから、磁気共鳴信号のそれぞれを、第２のプリパレーションデータとして第２のプリパレーションシーケンスにて収集するように、プリパレーションシーケンス条件を設定する。
【００６４】
すなわち、第１のプリパレーションシーケンスと、その第１のプリパレーションシーケンスと異なる第２のプリパレーションシーケンスとを含むプリパレーションシーケンスでのスキャンの実施を、イメージングシーケンスでのスキャンの実施の前に行うように、プリパレーションシーケンス条件を設定する。
【００６５】
また、ここでは、プリパレーションシーケンス条件設定部３０１ｂは、被検体において横隔膜を含む領域において生ずる磁気共鳴信号をナビゲータエコーデータとして収集するナビゲーションシーケンスをプリパレーションシーケンスに含むように、このプリパレーションシーケンス条件を設定する。
【００６６】
位相差算出部３０２は、イメージングシーケンス条件設定部３０１によって周波数が調整された後のＲＦパルスをイメージングシーケンスでのスキャンの実施において送信した際に、その撮影スライス領域において生ずる磁気共鳴信号の位相が変化する位相差を算出する。すなわち、体動によって撮影対象が基準位置から変位された撮影スライス領域に対応するように、周波数が調整された後のＲＦパルスをイメージングシーケンスでのスキャンの実施において送信した際に、その基準位置から移動された撮影スライス領域において生ずる磁気共鳴信号の位相が、その基準位置にて生ずる磁気共鳴信号の位相から変化する位相差を算出する。
【００６７】
本実施形態においては、位相差算出部３０２は、プリパレーションシーケンス条件設定部３０１ｂによって第１のプリパレーションシーケンスと第２のプリパレーションシーケンスとを含むように設定されたプリパレーションシーケンスにおけるスキャンを、スキャン部２が実施することによって収集した第１のプリパレーションデータと第２のプリパレーションデータとのそれぞれに基づいて、この位相差を算出する。詳細については後述するが、位相差算出部３０２は、第１のプリパレーションデータと第２のプリパレーションデータとのそれぞれについて、１次元フーリエ変換処理を実施することによって、第１スライス領域と第２スライス領域とのそれぞれの投影像を算出し、当該算出した投影像のそれぞれの位相に基づいて、撮影スライス領域が移動された距離（移動量）と、その撮影スライス領域の移動によって生ずる位相差との関係を示す関数を算出する。その後、その撮影スライス領域が移動された距離と、その撮影スライス領域の移動によって生ずる位相差との関係を示す関数を用いて、イメージングシーケンス条件設定部３０１によって周波数が調整された後のＲＦパルスを送信した場合に生ずる位相差を算出する。
【００６８】
操作コンソール部３において位置算出部３１ａは、コンピュータと、コンピュータを用いて所定のデータ処理を実行させるプログラムとを有しており、被検体ＳＵの体動によって撮影対象が体動する位置を検出するように、データ処理を実施する。
【００６９】
本実施形態においては、位置検出部３１ａは、被検体ＳＵの心拍運動による心時相を心電計によって検出する。また、このほかに、本実施形態においては、位置算出部３１ａは、被検体の呼吸運動によって体動された撮影対象の位置を算出する。具体的には、位置算出部３１ａは、被検体が呼吸運動することで移動する横隔膜について、ナビゲーションシーケンスに対応するスキャンをスキャン部２が実施することによって収集したナビゲータエコーデータに基づいて、その呼吸運動によって移動する撮影対象の位置を算出する。
【００７０】
画像再構成部３１ｂは、コンピュータと、そのコンピュータを用いて所定のデータ処理を実行するプログラムを記憶するメモリとを有しており、制御部３０からの制御信号に基づいて、画像再構成処理を実行して、画像を再構成する。ここでは、スキャン部２がイメージングシーケンスにて撮影スライス領域についてスキャンを実施することにより、ｋ空間に対応するように収集したイメージングデータについて、フーリエ変換処理を実施することによって、画像再構成処理を実施し、この撮影スライス領域の画像を再構成する。そして、画像再構成部３１ｂは、その再構成した画像のデータを、表示部３３に出力する。
【００７１】
操作部３２は、キーボードやポインティングデバイスなどの操作デバイスによって構成されている。操作部３２は、オペレータによって操作データが入力され、その操作データを制御部３０に出力する。
【００７２】
表示部３３は、ＣＲＴなどの表示デバイスによって構成されており、制御部３０からの制御信号に基づいて、表示画面に画像を表示する。たとえば、表示部３３は、オペレータによって操作部３２に操作データが入力される入力項目についての画像を表示画面に複数表示する。また、表示部３３は、画像再構成部３１ｂによって再構成された撮影スライス領域の画像についてのデータを受け、表示画面に、その画像を表示する。
【００７３】
記憶部３４は、メモリなどの記憶デバイスによって構成されており、各種データを記憶している。記憶部３４は、その記憶されたデータが必要に応じて制御部３０によってアクセスされる。
【００７４】
（動作）
以下より、上記の本実施形態の磁気共鳴イメージング装置１を用いて、被検体ＳＵを撮像する際の動作について説明する。
【００７５】
図３は、本発明にかかる実施形態１において、被検体ＳＵを撮像する際の動作を示すフロー図である。
【００７６】
まず、図３に示すように、イメージングシーケンスの設定を実施する（Ｓ１１）。
【００７７】
ここでは、スキャン部２がイメージングシーケンスにてスキャンを実施する際のイメージングシーケンス条件を、操作部３２から入力される操作データに基づいて、イメージングシーケンス条件設定部３０１が設定する。
【００７８】
図４は、本発明にかかる実施形態１において、イメージングシーケンス条件設定部３０１がイメージングシーケンス条件として設定するパルスシーケンスを示すパルスシーケンス図である。図４においては、ＲＦパルスＲＦと、スライス選択方向の勾配パルスＧｓと、位相エンコード方向の勾配パルスＧｐと、周波数エンコード方向の勾配パルスＧｒとを示している。なお、ここでは、縦軸が強度を示し、横軸が時間を示している。
【００７９】
図４に示すように、本実施形態においては、たとえば、ＧＲＥ（Ｇｒａｄｉｅｎｔ  Ｒｅｃａｌｌｅｄ  Ｅｃｈｏ）法に対応するパルスシーケンスにて、たとえば、被検体の胸部に対応する撮影スライス領域についてイメージングシーケンスを繰り返し時間ＴＲごとに繰り返し実施するように、イメージングシーケンス条件を設定する。
【００８０】
また、ここでは、スライス・トラッキング法に対応するように、イメージングシーケンス条件を設定する。
【００８１】
つぎに、図３に示すように、プリパレーションシーケンスの設定を実施する（Ｓ１２）。
【００８２】
ここでは、イメージングシーケンスでのスキャンを実施する前に、スキャン部２がプリパレーションシーケンスにてスキャンを実施する際のプリパレーションシーケンス条件を、操作部３２から入力される操作データに基づいて、プリパレーションシーケンス条件設定部３０１ｂが設定する。
【００８３】
本実施形態においては、静磁場が形成された撮像空間Ｂにおいて被検体の第１スライス領域に第１の周波数でＲＦパルスを送信し、当該第１スライス領域から生ずる磁気共鳴信号を第１のプリパレーションデータとして収集するように、第１のプリパレーションシーケンスを設定する。
【００８４】
図５は、本発明にかかる実施形態１において、プリパレーションシーケンス条件設定部３０１ｂがプリパレーションシーケンス条件として設定するパルスシーケンスを示すパルスシーケンス図である。図５においては、ＲＦパルスＲＦと、スライス選択方向の勾配パルスＧｓと、位相エンコード方向の勾配パルスＧｐと、周波数エンコード方向の勾配パルスＧｒとを示している。なお、ここでは、縦軸が強度を示し、横軸が時間を示している。
【００８５】
図５に示すように、イメージングシーケンスと同様に、たとえば、ＧＲＥ法に対応するパルスシーケンスにて第１のプリパレーションシーケンスを繰り返し時間ＴＲごとに繰り返し実施するように、プリパレーションシーケンス条件を設定する。そして、本実施形態においては、図５に示すように、イメージングシーケンス条件設定部３０１によって設定されたイメージングシーケンスにおいて、位相エンコード方向の勾配パルスＧｐを送信しないパルスシーケンスを、第１のプリパレーションシーケンスにするように、プリパレーションシーケンス条件を設定する。
【００８６】
さらに、その被検体において第１スライス領域のスライス軸方向にて、第１のプリパレーションシーケンスにてスキャンを実施した第１スライス領域と異なる位置に並ぶ第２スライス領域から磁気共鳴信号を収集するように、第２のプリパレーションシーケンスのプリパレーションシーケンス条件を設定する。すなわち、第１のプリパレーションシーケンスにて送信する第１の周波数と異なる第２の周波数でＲＦパルスを送信し、当該第２スライス領域から生ずる磁気共鳴信号を第２のプリパレーションデータとして収集する点を除いて、第１のプリパレーションシーケンスと同様なパルスシーケンスになるように、第２のプリパレーションシーケンスを設定する。ここでは、被検体において第１スライス領域のスライス軸方向にて位置が異なる複数の第２スライス領域のそれぞれから、磁気共鳴信号のそれぞれを、第２のプリパレーションデータとして第２のプリパレーションシーケンスにて収集するように、プリパレーションシーケンス条件を設定する。
【００８７】
図６は、本発明にかかる実施形態１において、プリパレーションシーケンス条件設定部３０１ｂがプリパレーションシーケンス条件として設定する際に、第１のプリパレーションシーケンスと、第２のプリパレーションシーケンスとにおいてスキャンを実施するスライス位置を示す図である。
【００８８】
図６に示すように、第１のプリパレーションシーケンスにおいては、たとえば、静磁場が形成される撮像空間Ｂの中心Ｃに対応するスライスを、第１スライス領域ＳＬ１とし、その第１スライス領域ＳＬ１について磁気共鳴信号を収集するように、設定する。
【００８９】
一方で、第２のプリパレーションシーケンスにおいては、図６に示すように、第１のプリパレーションシーケンスにてスキャンを実施する第１スライス領域ＳＬ１と異なる位置であって、その第１スライス領域ＳＬ１から、スライス軸方向であるｚ方向において異なるように位置する複数のスライスを、第２スライス領域ＳＬ２１，ＳＬ２２，ＳＬ２３とし、その複数の第２スライス領域ＳＬ２１，ＳＬ２２，ＳＬ２３について磁気共鳴信号を収集するように設定する。たとえば、第１スライス領域ＳＬ１から、スライス軸方向であるｚ方向に、１ｍｍずつ、順次、シフトさせたスライス位置のそれぞれを、第２スライス領域ＳＬ２１，ＳＬ２２，ＳＬ２３とする。そして、その複数の第２スライス領域ＳＬ２１，ＳＬ２２，ＳＬ２３のそれぞれから、順次、第２のプリパレーションデータを収集するように設定する。
【００９０】
また、ここでは、被検体において横隔膜を含む領域において生ずる磁気共鳴信号をナビゲータエコーデータとして収集するナビゲーションシーケンスを、プリパレーションシーケンスに含むように、このプリパレーションシーケンス条件を設定する。
【００９１】
つぎに、図３に示すように、第１および第２のプリパレーションシーケンスの実施を行う（Ｓ２１）。
【００９２】
ここでは、上記のようにして、第１および第２のプリパレーションシーケンスについて設定されたプリパレーションシーケンス条件に対応するように、スキャン部２が実施する。
【００９３】
すなわち、上記の図６に示したように、第１のスライス領域ＳＬ１および、そのスライス軸方向であるｚ方向において並ぶ第２のスライス領域ＳＬ２１，ＳＬ２２，ＳＬ２３のそれぞれについて、プリパレーションシーケンスの実施を行う。そして、その第１のスライス領域ＳＬ１および第２のスライス領域ＳＬ２１，ＳＬ２２，ＳＬ２３のそれぞれにおいて生ずる磁気共鳴信号を、第１のプリパレーションデータ，第２のプリパレーションデータとして収集する。
【００９４】
つぎに、図３に示すように、基準位置からシフトした距離と、そのシフトした際に生ずる位相差との関係を示す関数の算出を実施する（Ｓ３１）。
【００９５】
ここでは、第１のプリパレーションデータと第２のプリパレーションデータとのそれぞれについて、位相差算出部３０２が１次元フーリエ変換処理を実施する。これによって、第１スライス領域ＳＬ１と第２スライス領域ＳＬ２１，ＳＬ２２，ＳＬ２３とのそれぞれの投影像を算出する。その後、その算出した投影像のそれぞれの位相に基づいて、基準位置からシフトさせた距離と、そのシフトされた際に生ずる位相差との関係を示す関数を、位相差算出部３０２が算出する。
【００９６】
図７は、本発明にかかる実施形態１において、基準位置からシフトさせた距離と、そのシフトされた際に生ずる位相差との関係を示す関数を算出する際の動作を示すフロー図である。図８は、本発明にかかる実施形態１において、基準位置からシフトさせた距離と、そのシフトされた際に生ずる位相差との関係を示す関数について算出する際の動作を概念的に説明するための説明図である。図８においては、（ａ），（ｂ），（ｃ），（ｄ）にて、順次、動作が進行されることを示している。
【００９７】
図７に示すように、まず、第１のプリパレーションデータおよび第２のプリパレーションデータとして収集したデータｓｄ（ｎ）に対して、１次元フーリエ変換処理を実施し、投影像Ｓｄ（ｎ）を生成する（Ｓ３１１）。
【００９８】
ここでは、図８（ａ）に示すように、第１のプリパレーションデータおよび第２のプリパレーションデータとして収集したデータｓｄ（ｎ）を、位相差算出部３０２が取得する。そして、そのデータｓｄ（ｎ）に対して１次元フーリエ変換処理を実施することによって、図８（ｂ）に示すように、投影像Ｓｄ（ｎ）を生成する。
【００９９】
具体的には、基準位置（ｄ＝０）から収集した第１のプリパレーションデータｓ０（ｎ）に対して、１次元フーリエ変換処理を施すことによって、投影像Ｓ０（ｎ）を生成する。さらに、基準位置からｚ方向に距離ｄ（ｄ＝１ｍｍ，２ｍｍ，３ｍｍ）をシフトさせた各位置について収集された第２のプリパレーションデータｓ１（ｎ），ｓ２（ｎ），ｓ３（ｎ）に対して、上記の処理を施すことによって、投影像Ｓ１（ｎ），Ｓ２（ｎ），Ｓ３（ｎ）を生成する。
【０１００】
このように、基準位置（ｄ＝０）と、その基準位置（ｄ＝０）からｚ方向に１ｍｍシフトさせた位置（ｄ＝１）と、同様に２ｍｍシフトさせた位置（ｄ＝２）と、同様に３ｍｍシフトさせた位置（ｄ＝３）との各位置における投影像Ｓ０（ｎ），Ｓ１（ｎ），Ｓ２（ｎ），Ｓ３（ｎ）のそれぞれを算出する。
【０１０１】
この各投影像Ｓｄ（ｎ）は、以下の数式（１）に示すように、大きさＭｄ（ｎ）と位相Ｐｄ（ｎ）とによって表されるため、図８（ｂ）のように示される（ｊは定数）。
【０１０２】
Ｓｄ（ｎ）＝Ｍｄ（ｎ）・ｅｘｐ｛ｊ・Ｐｄ（ｎ）｝      ・・・（１）
【０１０３】
つぎに、図７に示すように、投影像Ｓｄ（ｎ）における０次位相Ａ（ｄ）を算出する（Ｓ３１２）。
【０１０４】
ここでは、たとえば、位相Ｐｄ（ｎ）を、以下の数式（２）に示すように、０次位相Ａ（ｄ）と、１次位相Ｂ（ｄ）とによってｎの関数として表す。
【０１０５】
Ｐｄ（ｎ）＝Ａ（ｄ）＋Ｂ（ｄ）・ｎ                            ・・・（２）
【０１０６】
このため、投影像Ｓｄ（ｎ）における位相Ｐｄ（ｎ）のデータを抽出し、その位相Ｐｄ（ｎ）から０次位相Ａ（ｄ）を算出する。たとえば、最小二乗法を用いることによって、図８（ｃ）に示すように、０次位相Ａ（ｄ）を得る。
【０１０７】
このようにして、基準位置（ｄ＝０）と、その基準位置（ｄ＝０）からｚ方向に１ｍｍシフトさせた位置（ｄ＝１）と、同様に２ｍｍシフトさせた位置（ｄ＝２）と、同様に３ｍｍシフトさせた位置（ｄ＝３）との各位置における０次位相Ａ（０），Ａ（１），Ａ（２），Ａ（３）のそれぞれを算出する。
【０１０８】
つぎに、図７に示すように、基準位置からｚ方向へ距離ｄで各位置にシフトさせた際に生ずる位相差Ｙ（ｄ）を算出する（Ｓ３１３）。
【０１０９】
ここでは、基準位置からｚ方向へ距離ｄで各位置にシフトさせた際に生ずる位相差Ｙ（ｄ）を、上記にて算出した０次位相Ａ（ｄ）を用いて算出する。
【０１１０】
具体的には、以下の数式（３），数式（４），数式（５）に示すように、基準位置（ｄ＝０）から距離ｄがｚ方向にシフトされた位置（ｄ＝１，２，３）での０次位相Ａ（１），Ａ（２），Ａ（３）に対して、基準位置での０次位相Ａ（０）を差分する差分処理を実施することによって、各位置（ｄ＝１，２，３）にシフトさせた際に生ずる位相差Ｙ（１），Ｙ（２），Ｙ（３）を算出する。
【０１１１】
Ｙ（１）＝Ａ（１）−Ａ（０）      ・・・（３）
【０１１２】
Ｙ（２）＝Ａ（２）−Ａ（０）      ・・・（４）
【０１１３】
Ｙ（３）＝Ａ（３）−Ａ（０）      ・・・（５）
【０１１４】
つぎに、図７に示すように、基準位置からｚ方向へシフトさせた距離ｄと、そのシフトされた際に生ずる位相差Ｙ（ｄ）との関係を示す関数ｆ（ｄ）を算出する（Ｓ３１４）。
【０１１５】
ここでは、たとえば、図８（ｄ）に示すように、基準位置（ｄ＝０）からｚ方向へシフトさせた距離ｄと、そのシフトされた際に生ずる位相差Ｙ（ｄ）とを、１次式で表す。このため、この１次式へのフィッティング処理を実施することによって、以下の数式（６）にて示される関数ｆ（ｄ）を導く（αは定数）。
【０１１６】
Ｙ（ｄ）＝α・ｄ＝ｆ（ｄ）          ・・・（６）
【０１１７】
このようにして、基準位置（ｄ＝０）からシフトさせた距離ｄと、そのシフトされた際に生ずる位相差Ｙ（ｄ）との関係を示す関数ｆ（ｄ）を算出する。
【０１１８】
つぎに、図３に示すように、ナビゲータシーケンスおよびイメージングシーケンスでのスキャンの実施を行う（Ｓ４１）。
【０１１９】
ここでは、上記のようにして、ナビゲータシーケンスおよびイメージングシーケンスについて設定された、プリパレーションシーケンス条件およびイメージングシーケンス条件に対応するように、スキャン部２が実施する。
【０１２０】
図９は、本発明にかかる実施形態１において、ナビゲータシーケンスおよびイメージングシーケンスでのスキャンの実施の様子を概念的に説明する説明図であり、横軸が時間軸ｔである。
【０１２１】
本実施形態においては、位置算出部３１ａによって検出された心電信号に基づいて、被検体ＳＵの心拍運動が特定の時相である時に、スキャン部２が被検体ＳＵについてのスキャンＳを繰り返し実施する。
【０１２２】
具体的には、図９に示すように、心電信号においてＲ波５１を特定し、そのＲ波５１が生ずる時点ｔ０から所定の遅延時間Ｄ１を経過後の心臓収縮期に対応した時点ｔ１に、スキャン部２が被検体ＳＵの胸部についてのスキャンＳを、周期的に繰り返して開始する。
【０１２３】
図１０は、本発明にかかる実施形態１において、ナビゲータシーケンスおよびイメージングシーケンスでのスキャンの実施を行う際の動作を示すフロー図である。
【０１２４】
このスキャンＳの実施においては、図１０に示すように、まず、ナビゲータシーケンスＮＳの実施を行う（Ｓ４１１）。
【０１２５】
ここでは、いわゆるナビゲータ・エコー法に対応するように、ナビゲータシーケンスＮＳの実施を行う。具体的には、被検体ＳＵの呼吸運動をモニターするために、スキャン部２が、横隔膜を含む領域のスピンを選択的に励起し、ナビゲータエコーデータとして、磁気共鳴信号を得るナビゲータシーケンスＮＳを、実施する。たとえば、スピン・エコー法に基づいて実施する。このナビゲータシーケンスＮＳは、図９に示すように、Ｒ波５１を検出した時点ｔ０から所定の遅延時間Ｄ１を経過後の時点ｔ１から、所定時間Ｄ２が経過した時点ｔ２までの間において実施される。
【０１２６】
図１１は、本発明にかかる実施形態１において、ナビゲータシーケンスＮＳを示すパルスシーケンス図である。図１１においては、ＲＦパルスＲＦと、ｘ方向の勾配パルスＧｘと、ｚ方向の勾配パルスＧｚと、ｙ方向の勾配パルスＧｙとを示している。なお、ここでは、縦軸が強度を示し、横軸が時間軸を示している。
【０１２７】
ナビゲータシーケンスＮＳの実施においては、まず、図１１に示すように、９０°パルスＲＦ１と共に第１のｘ方向勾配パルスＧｘ１を送信することによって、被検体において横隔膜を含む第１のスライス面を選択的に９０°励起する。その後、第２のｘ方向勾配パルスＧｘ２を送信することによって位相を戻した後、１８０°パルスＲＦ２と共に第３のｘ方向勾配パルスＧｘ３と第１のｚ方向勾配パルスＧｚ１とを送信することによって、横隔膜を含む領域において第１のスライス面と交差する第２のスライス面を１８０°励起する。そして、周波数エンコードするように第１と第２とのｙ方向勾配磁場Ｇｙ１，Ｇｙ２を送信し、第１のスライス面と第２のスライス面とが交差する領域からの磁気共鳴信号ＭＲ１を、ナビゲータエコーデータとして取得する。
【０１２８】
そして、このナビゲータシーケンスＮＳの実施によってナビゲータエコーデータとして得られた磁気共鳴信号ＭＲ１を、データ収集部２４が収集し、位置検出部３１ａへ出力する。
【０１２９】
この後、イメージングシーケンスＩＳを実施する前に、この呼吸運動によって動いた横隔膜の位置を、位置検出部３１ａが求める。ここでは、上記にて収集したナビゲータエコーデータについて１次元逆フーリエ変換処理を実施して、横隔膜を含む領域におけるデータプロファイルを生成し、そのデータプロファイルから、その移動した横隔膜の位置を、位置検出部３１ａが算出する。本実施形態においては、この生成したプロファイルにおいて、高信号強度の部分が腹部に相当し、低信号強度の部分が胸部に相当し、この腹部と胸部とを示す部分の境界部分が横隔膜に相当するために、この横隔膜に相当する境界部分が基準位置から変化した位置を、位置検出部３１ａが、横隔膜が移動した位置として特定し、その基準位置から変化した位置までの距離を求める。
【０１３０】
つぎに、図１０に示すように、イメージングシーケンス条件において、ＲＦパルスの周波数および位相の調整を実施する（Ｓ４１２）。
【０１３１】
ここでは、イメージングシーケンス条件設定部３０１がイメージングシーケンス条件を調整し設定する。なお、簡単のため、以降のスライス・トラッキング法で行うスライス領域の移動は、スライス軸方向のみとする。周波数軸やフェーズ軸の方向にもスライスの移動を行う際には、それに伴って、受信周波数や受信位相の調整を実施する。
【０１３２】
まず、スライス・トラッキング法に基づいて、イメージングシーケンスにて送信するＲＦパルスの周波数を調整する。すなわち、横隔膜が移動した位置を位置検出部３１ａが求めた結果に基づいて、その横隔膜の移動に伴って基準位置から移動された撮影対象を含む撮影スライス領域の位置を算出後、その算出された撮影スライス領域の位置に対応するように、イメージングシーケンスにて送信するＲＦパルスの周波数を調整する。
【０１３３】
そして、さらに、そのスライス・トラッキング法に対応するように周波数が調整された後のＲＦパルスの位相を調整する。ここでは、イメージングシーケンスでのスキャンの実施において送信した際に、その撮影スライス領域において生ずる磁気共鳴信号の位相が変化する位相差が無くなるように調整し設定する。すなわち、体動によって撮影対象が基準位置から変位された撮影スライス領域に対応するように、周波数が基準周波数から調整された後のＲＦパルスを、イメージングシーケンスでのスキャンの実施において送信した際に、その基準位置から移動された撮影スライス領域において生ずる磁気共鳴信号の位相と、その基準周波数でのＲＦパルスをイメージングシーケンスでのスキャンの実施において送信した際に、基準位置にある撮影スライス領域にて生ずる磁気共鳴信号の位相とが同じであって、両者の位相の間において生ずる位相差が無くなるように調整する。
【０１３４】
本実施形態においては、位相差算出部３０２によって算出された、この位相差に基づいて、イメージングシーケンスの実施において送信するＲＦパルスの位相を調整する。
【０１３５】
ここでは、まず、周波数が調整された後のＲＦパルスをイメージングシーケンスでのスキャンの実施において送信した際に、その撮影スライス領域において磁気共鳴信号の位相が変化する位相差を、位相差算出部３０２が算出する。
【０１３６】
具体的には、横隔膜が移動した位置を位置検出部３１ａが求めた結果に基づいて、その横隔膜の移動に伴って変位された撮影対象を含む撮影スライス領域の位置が基準位置からスライス軸方向であるｚ方向に移動された距離Ｄを求める。その後、その基準位置からシフトさせた距離ｄと、そのシフトされた際に生ずる位相差Ｙ（ｄ）との関係を示す関数ｆ（ｄ）に、その算出した距離Ｄを代入することによって、位相差Ｙ（Ｄ）を算出する。
【０１３７】
たとえば、図８（ｄ）に示したように、撮影スライス領域の位置が、基準位置（ｄ＝０）から１ｍｍ（ｄ＝１）シフトされた際には、関数ｆ（ｄ）を用いて、その１ｍｍの距離ｄに対応する位相差Ｙ（１）が算出される。
【０１３８】
その後、周波数が調整された後のＲＦパルスの位相を、上記にて算出した位相差Ｙ（Ｄ）に対応するようにシフトすることによって調整し、上記のナビゲータシーケンＮＳの実施後に実施するイメージングシーケンスＩＳのイメージングシーケンス条件を設定する。
【０１３９】
具体的には、基準位置を撮影する際に設定される位相に、算出された位相差Ｙ（Ｄ）を加え、調整された周波数と共に、ＲＦ駆動部２２を設定する。
【０１４０】
つぎに、図１０に示すように、イメージングシーケンスＩＳの実施を行う（Ｓ４１３）。
【０１４１】
ここでは、ナビゲータシーケンスＮＳに続いて、被検体ＳＵの胸部においてスライス画像を生成するスライス位置からイメージングデータとしての磁気共鳴信号を得るイメージングシーケンスＩＳを、スキャン部２が実施する。具体的には、上記にて設定されたイメージングシーケンス条件に対応するように、このイメージングシーケンスＩＳを、スキャン部２が実施する。このイメージングシーケンスＩＳは、図９に示すように、ナビゲータシーケンスＮＳの実施が終了された時点ｔ２から、所定時間Ｄ３が経過した時点ｔ３までの間において実施される。
【０１４２】
そして、このイメージングシーケンスＩＳの実施によってイメージングデータとして得られた磁気共鳴信号を、データ収集部２４が収集する。
【０１４３】
つぎに、図１０に示すように、イメージングデータの収集完了の判断を行う（Ｓ４１４）。
【０１４４】
ここでは、生成するスライス画像に必要なイメージングデータが収集されたかどうかを、制御部３０が判断する。たとえば、ｋ空間において全ての位相エンコードステップに対応したイメージングデータを収集したかどうか判断する。そして、イメージングデータの全てを収集していない場合（Ｎｏ）には、上記の被検体のスキャンを継続するように制御部３０が各部を制御する。
【０１４５】
一方で、イメージングデータの全てを収集した場合（Ｙｅｓ）には、図１０に示すように、被検体についてのスキャンを完了する。
【０１４６】
つぎに、図３に示すように、スライス画像の生成を行う（Ｓ５１）。
【０１４７】
ここでは、スキャン部２がイメージングシーケンスにて撮影スライス領域についてスキャンを実施することによりｋ空間に対応するように収集したイメージングデータについて、フーリエ変換処理を、画像再構成部３１ｂが実施することによって画像再構成処理を実施し、この撮影スライス領域のスライス画像を再構成する。そして、その再構成した画像を表示部３３に出力する。
【０１４８】
以上のように、本実施形態は、基準位置から距離Ｄを隔てて移動された撮影スライス領域について、イメージングシーケンスＩＳにてスキャンを実施するように、スライス・トラッキング法に基づいてＲＦパルスの周波数を始めとするイメージングシーケンス条件を調整する。そして、その周波数が調整された後のＲＦパルスを、イメージングシーケンスＩＳでのスキャンの実施にて送信した際に、その基準位置から距離Ｄを隔てて移動された撮影スライス領域において磁気共鳴信号の位相が変化する位相差Ｙ（Ｄ）を、基準位置からシフトさせた距離ｄと、そのシフトされた際に生ずる位相差Ｙ（ｄ）との関係を示す関数ｆ（ｄ）を用いて算出する。そして、その算出した位相差（Ｄ）に基づいて、そのイメージングシーケンス条件おいて送信するＲＦパルスの位相を調整し設定する。つまり、イメージングシーケンスＩＳにて送信するＲＦパルスをスライス・トラッキング法に基づいて周波数を調整することで生ずる磁気共鳴信号の位相差が無くなるように、そのＲＦパルスの位相についても調整する。そして、このＲＦパルスの周波数および位相が調整されたイメージングシーケンス条件に対応するイメージングシーケンスにて、被検体の撮影スライス領域についてスキャンを実施する。その後、そのスキャンの実施によって収集されたイメージングデータに基づいて、その撮影スライス領域についてスライス画像を再構成する。ここでは、イメージングシーケンスでのスキャンの実施の前に、プリパレーションシーケンスＰＳでのスキャンの実施を行い、第１のプリパレーションデータｓ０（ｎ）と、第２のプリパレーションデータｓ１（ｎ），ｓ２（ｎ），ｓ３（ｎ）と収集する。具体的には、基準位置（ｄ＝０）に対応する第１スライス領域と、被検体において第１スライス領域のスライス軸方向にて第１スライス領域と異なる位置（ｄ＝１，２，３ｍｍ）に並ぶ第２スライス領域とのそれぞれから、磁気共鳴信号を収集するように、周波数が調整されたＲＦパルスを送信し、その第１スライス領域と第２スライス領域とのそれぞれにおいて生ずる磁気共鳴信号のそれぞれを、第１のプリパレーションデータｓ０（ｎ）と第２のプリパレーションデータｓ１（ｎ），ｓ２（ｎ），ｓ３（ｎ）として収集する。そして、その第１のプリパレーションデータｓ０（ｎ）と、第２のプリパレーションデータｓ１（ｎ），ｓ２（ｎ），ｓ３（ｎ）とに基づいて、位相差Ｙ（Ｄ）を算出する。具体的には、第１のプリパレーションデータｓ０（ｎ）と第２のプリパレーションデータｓ１（ｎ），ｓ２（ｎ），ｓ３（ｎ）とに基づいて、基準位置からシフトさせた距離ｄと、そのシフトされた際に生ずる位相差Ｙ（ｄ）との関係を示す関数ｆ（ｄ）を算出した後、その基準位置（ｄ＝０）から撮影スライス領域が移動された距離（ｄ＝Ｄ）のデータをナビゲータシーケンスＮＳの実施にて取得し、その関数ｆ（ｄ）に代入することによって、上記の位相差Ｙ（Ｄ）を算出する。
【０１４９】
このように、本実施形態は、イメージングシーケンスＩＳにおいて基準位置から変位した撮影スライス領域に対応するようにスライス・トラッキング法に基づいて周波数が調整された後のＲＦパルスの位相を、イメージングシーケンスでのスキャンの実施において送信した際に生ずる磁気共鳴信号の位相差がなくなるように調整した後に、その位相が調整されたＲＦパルスにてイメージングシーケンスＩＳを実施してイメージングデータを収集し、そのイメージングデータに基づいてスライス画像を再構成しているので、そのスライス画像にゴーストが生ずることを防止できる。よって、画像品質を向上させることができる。
【０１５０】
特に、本実施形態は、イメージングシーケンスＩＳでのスキャンの実施前にプリパレーションシーケンスＰＳでのスキャンを実施し、そのプリパレーションシーケンスＰＳでのスキャンの実施によって収集されたプリパレーションデータに基づいて、イメージングシーケンスＩＳにて送信するＲＦパルスの位相を補正している。よって、実測データに基づいてＲＦパルスの位相補正を実施しているので、ＲＦパルスを送信する際の遅延時間、位相の誤差、および、その他、ハードウェアの状況に起因して、画像にゴーストが生ずる不具合についても、好適に解消することができる。
【０１５１】
したがって、本実施形態は、ゴーストの発生を抑制し、画像品質を向上させることができる。
【０１５２】
＜実施形態２＞
以下より、本発明にかかる実施形態２について説明する。
【０１５３】
図１２は、本発明にかかる実施形態２において、ナビゲータシーケンスおよびイメージングシーケンスでのスキャンの実施を行う際の動作を示すフロー図である。
【０１５４】
図１２に示すように、図１０において示したステップＳ４１２に代わって、イメージングシーケンスの設定における、ＲＦパルスの周波数、および、受信する磁気共鳴信号の位相の調整をする（Ｓ４１２ｂ）。この点を除き、本実施形態は、実施形態１と同様である。したがって、重複する個所については、説明を省略する。
【０１５５】
本実施形態においては、まず、図１２に示すように、ナビゲータシーケンスＮＳの実施を行う（Ｓ４１１）。
【０１５６】
ここでは、実施形態１と同様にナビゲータシーケンスＮＳの実施を行う。
【０１５７】
つぎに、図１２に示すように、イメージングシーケンス条件において、ＲＦパルスの周波数、および、受信する磁気共鳴信号の位相の調整をする（Ｓ４１２ｂ）。
【０１５８】
ここでは、実施形態１と同様に、スライス・トラッキング法に基づいて、イメージングシーケンスにて送信するＲＦパルスの周波数を調整する。
【０１５９】
そして、そのスライス・トラッキング法に対応するように周波数が調整された後のＲＦパルスを、イメージングシーケンスでのスキャンの実施において送信し、その撮影スライス領域において生ずる磁気共鳴信号を受信した際に、その受信した磁気共鳴信号の位相が変化する位相差が無くなるように、イメージングシーケンス条件設定部３０１がイメージングシーケンス条件を調整し設定する。すなわち、体動によって撮影対象が基準位置から変位された撮影スライス領域に対応するように、周波数が基準周波数から調整された後のＲＦパルスをイメージングシーケンスでのスキャンの実施において送信した際に、その基準位置から移動された撮影スライス領域において生ずる磁気共鳴信号の位相と、その基準周波数でのＲＦパルスをイメージングシーケンスでのスキャンの実施において送信した際に、基準位置にある撮影スライス領域にて生ずる磁気共鳴信号の位相とが同じであって、その両者の位相の間において生ずる位相差が無くなるように、そのスライス・トラッキング法にて周波数が調整された後のＲＦパルスの送信にて生ずる磁気共鳴信号を受信すべく、イメージングシーケンス条件を調整する。
【０１６０】
本実施形態においては、上記のように、基準位置（ｄ＝０）から距離（ｄ＝Ｄ）を隔てて、スライス軸方向にて別の位置に移動された撮影スライス領域からイメージングデータを収集するように、スライス・トラッキング法によって周波数が調整されたＲＦパルスを送信するイメージングシーケンスの実施において、そのイメージングデータとして受信する磁気共鳴信号の位相を、実施形態１と同様に関数ｆ（ｄ）を用いて算出された位相差Ｙ（Ｄ）に基づいて調整させて収集させる。たとえば、上記のように周波数が調整された後のＲＦパルスを送信するイメージングシーケンスＩＳの実施において収集される磁気共鳴信号の位相を、上記のように算出した位相差Ｙ（Ｄ）に対応してシフトするように、調整して受信させる。
【０１６１】
具体的には、調整された周波数をＲＦ駆動部２２に設定する。また、基準位置を撮影する際に設定される受信位相に、算出された位相差Ｙ（Ｄ）を加えた位相を、データ収集部２４に設定する。
【０１６２】
つぎに、図１２に示すように、イメージングシーケンスＩＳの実施（Ｓ４１３）と、イメージングデータの収集完了の判断（Ｓ４１４）とを行う。
【０１６３】
ここでは、実施形態１と同様に、各ステップの動作を実施し、イメージングシーケンスＩＳでのスキャンの実施を完了させる。
【０１６４】
以上のように、本実施形態は、イメージングシーケンスでのスキャンの実施において、スライス・トラッキング法によって周波数が調整された後のＲＦパルスを送信した際に生ずる磁気共鳴信号の位相差がなくなるように、その磁気共鳴信号の位相を調整して受信することによって、イメージングデータを収集する。そして、そのイメージングデータに基づいてスライス画像を再構成している。このため、再構成したスライス画像に、ゴーストが生ずることを防止できる。よって、画像品質を向上させることができる。
【０１６５】
＜実施形態３＞
以下より、本発明にかかる実施形態３について説明する。
【０１６６】
図１３は、本発明にかかる実施形態３において、ナビゲータシーケンスおよびイメージングシーケンスでのスキャンの実施を行う際の動作を示すフロー図である。
【０１６７】
図１３に示すように、図１０において示したステップＳ４１２に代わって、イメージングシーケンス条件において、ＲＦパルスの周波数の調整をする（Ｓ４１２ｃ）。つまり、実施形態１と異なり、ＲＦパルスの位相の調整は実施しない。しかし、この他に、本実施形態においては、図３にて示したステップＳ５１において画像再構成処理をする際にローデータとするイメージングデータの位相について調整した後、その位相調整後のイメージングデータについて画像再構成処理を実施する。この点を除き、本実施形態は、実施形態１と同様である。したがって、重複する個所については、説明を省略する。
【０１６８】
本実施形態においては、図１３に示すように、まず、ナビゲータシーケンスＮＳの実施を行う（Ｓ４１１）。
【０１６９】
ここでは、実施形態１と同様に、ナビゲータシーケンスＮＳの実施を行う。
【０１７０】
つぎに、図１３に示すように、イメージングシーケンス条件において、ＲＦパルスの周波数の調整をする（Ｓ４１２ｃ）。
【０１７１】
ここでは、実施形態１と同様に、スライス・トラッキング法に基づいて、イメージングシーケンスＩＳにて送信するＲＦパルスの周波数を調整する。
【０１７２】
つぎに、図１３に示すように、イメージングシーケンスＩＳの実施（Ｓ４１３）と、イメージングデータの収集完了の判断（Ｓ４１４）とを行う。
【０１７３】
ここでは、実施形態１と同様に、各ステップの動作を実施し、イメージングシーケンスＩＳでのスキャンの実施を完了させる。
【０１７４】
本実施形態において、このイメージングシーケンスＩＳでのスキャンの実施にてイメージングデータを収集する際においては、基準位置から別の位置に移動した撮影スライスから収集したイメージングデータと、その撮影スライス領域が基準位置から移動された距離Ｄとを互いに関連付けて収集し、記憶する。
【０１７５】
このように図１３に示した各ステップを順次実施することによって、図３に示した、ナビゲータシーケンスおよびイメージングシーケンスでのスキャンの実施を行うステップＳ４１を完了させる。
【０１７６】
そして、図３に示すように、スライス画像の生成を実施する（Ｓ５１）。
【０１７７】
ここでは、実施形態１と同様に位相差算出部３０２によって算出された位相差Ｙ（Ｄ）に基づいて、画像再構成部３１ｂがイメージングデータの位相を補正するように、制御部３０が画像再構成部３１ｂの動作を制御する。その後に、その位相が調整されたイメージングデータについて画像再構成処理を実施するように、制御部３０が画像再構成部３１ｂの動作を制御する。
【０１７８】
具体的には、まず、実施形態１と同様に、スライス・トラッキング法に基づいて周波数が調整されたＲＦパルスをイメージングシーケンスでのスキャンの実施において送信した際に、その基準位置から距離（ｄ＝Ｄ）を隔ててスライス軸方向に移動された撮影スライス領域において生ずる磁気共鳴信号の位相が変化する位相差Ｙ（Ｄ）を、位相差算出部３０２が算出する。ここでは、各イメージングシーケンスを実施する際に横隔膜が移動した位置を位置検出部３１ａが求めた結果に基づいて、その横隔膜の移動に伴って変位された撮影対象を含む撮影スライス領域の位置が基準位置からスライス軸方向に移動された距離Ｄを求める。その後、その基準位置からシフトさせた距離ｄと、そのシフトされた際に生ずる位相差Ｙ（ｄ）との関係を示す関数ｆ（ｄ）に、その算出した距離（ｄ＝Ｄ）を代入することによって、位相差Ｙ（Ｄ）を算出する。ここでは、各イメージングシーケンスの実施にて収集したイメージングデータのそれぞれについて位相差Ｙ（Ｄ）を算出するように、この処理を実施する。
【０１７９】
そして、たとえば、上記のように周波数が調整された後のＲＦパルスを送信する各イメージングシーケンスＩＳの実施においてイメージングデータとして収集される各磁気共鳴信号の位相を、上記のように算出した位相差Ｙ（Ｄ）に対応してシフトして補正する。
【０１８０】
具体的には、各ｋ空間のデータを取得した際の位相差Ｙ（Ｄ）を記憶部３４に記憶させる。画像再構成部３１ｂは画像再構成を実施する前に、各ｋ空間の位相差Ｙ（Ｄ）を記憶部３４から読み出して位相をシフトさせる。
【０１８１】
そして、上記のように位相を調整し、補正したイメージングデータについて、フーリエ変換処理を画像再構成部３１ｂが実施することによって、画像再構成処理を実施し、撮影スライス領域のスライス画像を再構成する。そして、その再構成した画像を表示部３３に出力する。
【０１８２】
以上のように、本実施形態は、イメージングシーケンスでのスキャンの実施において、スライス・トラッキング法によって周波数が調整された後のＲＦパルスを送信した際に生ずる磁気共鳴信号の位相差がなくなるように、そのイメージングデータとして収集した磁気共鳴信号の位相を補正する。そして、その位相が補正されたイメージングデータに基づいてスライス画像を再構成している。このため、再構成したスライス画像に、ゴーストが生ずることを防止できる。よって、画像品質を向上させることができる。
【０１８３】
なお、上記の実施形態の磁気共鳴イメージング装置１は、本発明の磁気共鳴イメージング装置に相当する。また、上記の実施形態のスキャン部２は、本発明のスキャン部に相当する。また、上記の実施形態の位置検出部３１ａは、本発明の位置検出部に相当する。また、上記の実施形態の画像再構成部３１ｂは、本発明の画像再構成部に相当する。また、上記の実施形態のイメージングシーケンス条件設定部３０１は、本発明のイメージングシーケンス条件設定部に相当する。また、上記の実施形態のプリパレーションシーケンス条件設定部３０１ｂは、本発明のプリパレーションシーケンス条件設定部に相当する。また、上記の実施形態の位相差算出部３０２は、本発明の位相差算出部に相当する。
【０１８４】
また、本発明の実施に際しては、上記した実施形態に限定されるものではなく、種々の変形例を採用することができる。
【０１８５】
たとえば、イメージングシーケンスでのスキャンにおいて、３次元イメージングを実施する際に、適用してもよい。この場合、プリパレーションシーケンスでのスキャンの実施においては、スライス選択方向にて位相エンコードするための勾配パルスについても、送信しないように、プリパレーションシーケンス条件を設定する。
【０１８６】
プリパレーションシーケンスでのスキャンの実施における撮影位置に関しては、イメージングシーケンスでのスキャンと同じ位置でもよく、それとは別の位置でもよい。また、そのスライス枚数についても、１枚でもよく、複数でもよい。
【０１８７】
また、基準位置からシフトした距離と、そのシフトした際に生ずる位相差との関係を示す関数の算出する際においては、関数を多次元関数として算出してもよいし、あるいは、プリパレーションシーケンスにて得たプリパレーションデータのシフト量当たりの平均値を算出後、その平均値を用いて当該関数の算出を実施してもよい。ここでは、励起位置を変えることで磁場不均一の影響が変わることや、対象となる臓器の物質比（水・脂肪・の比）が変る場合もあるため、その平均値から逸脱が大きいデータについては利用しないように設定を行ってもよい。また、理論値や、事前に均一ファントムで得た実測値に基づく予測値から、大きく異なる場合には、利用しないように設定を行ってもよい。
【０１８８】
また、たとえば、ナビゲータシーケンスの実施に際しては、スピン・エコー法のほか、２Ｄ選択励起型など、さまざまな撮像方法にて実施を行っても良い。
【０１８９】
また、たとえば、被検体の体動を検出する際においては、ナビゲータシーケンスの実施に限定されない。たとえば、呼吸運動においては、被検体の胸部にベルトを巻き、そのベルトの伸縮を検知することで、呼吸運動を検出しても良い。
【０１９０】
また、たとえば、本実施形態においては、心電信号と同期させてスキャンを実施する場合について説明したが、心電信号と同期させない場合についても、当然ながら、適用してもよい。
【０１９１】
また、たとえば、本実施形態においては、被検体において横隔膜を含む領域において生ずる磁気共鳴信号をナビゲータエコーデータとして収集するナビゲーションシーケンスを、第１スライス領域および第２スライス領域についてスキャンするプリパレーションシーケンスに含むように、プリパレーションシーケンス条件を設定し、スキャンを効率的に実施する場合について説明したが、これに限定されない。たとえば、ナビゲーションシーケンスを、上記プリパレーションシーケンスに含めないように、実施する場合についても、当然ながら、適用してもよい。
【図面の簡単な説明】
【０１９２】
【図１】図１は、本発明にかかる実施形態において、磁気共鳴イメージング装置１の構成を示す構成図である。
【図２】図２は、本発明にかかる実施形態１において、制御部３０の構成を示すブロック図である。
【図３】図３は、本発明にかかる実施形態１において、被検体ＳＵを撮像する際の動作を示すフロー図である。
【図４】図４は、本発明にかかる実施形態１において、イメージングシーケンス条件設定部３０１がイメージングシーケンス条件として設定するパルスシーケンスを示すパルスシーケンス図である。
【図５】図５は、本発明にかかる実施形態１において、プリパレーションシーケンス条件設定部３０１ｂがプリパレーションシーケンス条件として設定するパルスシーケンスを示すパルスシーケンス図である。
【図６】図６は、本発明にかかる実施形態１において、プリパレーションシーケンス条件設定部３０１ｂがプリパレーションシーケンス条件として設定する際に、第１のプリパレーションシーケンスと、第２のプリパレーションシーケンスとにおいてスキャンを実施するスライス位置を示す図である。
【図７】図７は、本発明にかかる実施形態１において、基準位置からシフトさせた距離と、そのシフトされた際に生ずる位相差との関係を示す関数を算出する際の動作を示すフロー図である。
【図８】図８は、本発明にかかる実施形態１において、基準位置からシフトさせた距離と、そのシフトされた際に生ずる位相差との関係を示す関数について算出する際の動作を概念的に説明するための説明図である。
【図９】図９は、本発明にかかる実施形態１において、ナビゲータシーケンスおよびイメージングシーケンスでのスキャンの実施の様子を概念的に説明する説明図であり、横軸が時間軸ｔである。
【図１０】図１０は、本発明にかかる実施形態１において、ナビゲータシーケンスおよびイメージングシーケンスでのスキャンの実施を行う際の動作を示すフロー図である。
【図１１】図１１は、本発明にかかる実施形態１において、ナビゲータシーケンスＮＳを示すパルスシーケンス図である。
【図１２】図１２は、本発明にかかる実施形態２において、ナビゲータシーケンスおよびイメージングシーケンスでのスキャンの実施を行う際の動作を示すフロー図である。
【図１３】図１３は、本発明にかかる実施形態３において、ナビゲータシーケンスおよびイメージングシーケンスでのスキャンの実施を行う際の動作を示すフロー図である。
【符号の説明】
【０１９３】
１：磁気共鳴イメージング装置（磁気共鳴イメージング装置）、
２：スキャン部（スキャン部）、
３：操作コンソール部、
１２：静磁場マグネット部、
１３：勾配コイル部、
１４：ＲＦコイル部、
１５：クレードル、
２２：ＲＦ駆動部、
２３：勾配駆動部、
２４：データ収集部、
３０：制御部、
３１ａ：位置検出部（位置検出部）、
３１ｂ：画像再構成部（画像再構成部）、
３２：操作部、
３３：表示部、
３４：記憶部、
３０１：イメージングシーケンス条件設定部（イメージングシーケンス条件設定部）、
３０１ｂ：プリパレーションシーケンス条件設定部（プリパレーションシーケンス条件設定部）、
３０２：位相差算出部（位相差算出部）、
Ｂ：撮像空間
【図１】
2008212402.tif 000003
【図２】
2008212402.tif 000004
【図３】
2008212402.tif 000005
【図４】
2008212402.tif 000006
【図５】
2008212402.tif 000007
【図６】
2008212402.tif 000008
【図７】
2008212402.tif 000009
【図８】
2008212402.tif 000010
【図９】
2008212402.tif 000011
【図１０】
2008212402.tif 000012
【図１１】
2008212402.tif 000013
【図１２】
2008212402.tif 000014
【図１３】
2008212402.tif 000015